(57)【要約】【課題】ユーザに対する広告効果をより向上させることができる広告配信装置、広告配信方法、広告配信プログラム、端末装置、広告表示方法、および広告表示プログラムを提供すること。【解決手段】ユーザが使用する端末装置から所定距離内に位置する店舗の商品についての広告を示す第１広告情報を取得する広告情報取得部と、前記第１広告情報から、前記ユーザによって指定された項目に対応する部分広告情報を取得する部分広告情報取得部と、前記部分広告情報を合成して第２広告情報を生成する広告情報生成部と、前記第２広告情報を前記端末装置に送信する送信部と、を備え、前記広告情報生成部は、前記店舗とは異なる他の店舗の前記商品と同じ商品についての広告を示す第３広告情報を生成するとともに、前記第２広告情報と前記第３広告情報とを合成することにより広告比較情報を生成し、前記送信部は、前記広告比較情報を前記端末装置に送信する広告配信装置。【選択図】図２
2018081670.tif 000002
【特許請求の範囲】
【請求項１】
ユーザが使用する端末装置の位置を示す位置情報を受信する受信部と、
前記受信部によって受信された前記位置情報に基づいて、前記端末装置から所定距離内に位置する店舗の商品についての広告を示す第１広告情報を取得する広告情報取得部と、
前記広告情報取得部によって取得された前記第１広告情報から、前記ユーザによって指定された項目に対応する部分広告情報を取得する部分広告情報取得部と、
前記部分広告情報取得部によって取得された前記部分広告情報を合成して、第２広告情報を生成する広告情報生成部と、
前記広告情報生成部によって生成された前記第２広告情報を、前記端末装置に送信する送信部と、を備え、
前記広告情報生成部は、前記店舗とは異なる他の店舗の前記商品と同じ商品についての広告を示す第３広告情報を生成するとともに、前記第２広告情報と前記第３広告情報とを合成することにより広告比較情報を生成し、
前記送信部は、前記広告情報生成部によって生成された前記広告比較情報を、前記端末装置に送信する
広告配信装置。
【請求項２】
前記部分広告情報取得部は、前記第１広告情報から前記部分広告情報を取得できなかった場合、取得できなかった前記部分広告情報を、ネットワーク上の装置から取得する
請求項１記載の広告配信装置。
【請求項３】
前記部分広告情報取得部は、前記第１広告情報から取得できなかった前記部分広告情報を、前記商品の製造業者の提供するサービスから前記ネットワークを介して取得する
請求項２記載の広告配信装置。
【請求項４】
前記部分広告情報取得部は、前記第１広告情報から取得できなかった前記部分広告情報を、店舗ごとの商品の価格を比較するための情報を提供する価格比較サービスから前記ネットワークを介して取得する
請求項２記載の広告配信装置。
【請求項５】
前記ユーザの属性を示すユーザ属性を取得するユーザ属性取得部を更に備え、
前記広告情報取得部は、前記ユーザ属性取得部によって取得された前記ユーザ属性に基づいて、前記ユーザに適した広告情報を前記第１広告情報として取得する
請求項１記載の広告配信装置。
【請求項６】
前記ユーザ属性は、前記ユーザの性別、年齢、興味のあるカテゴリ、検索履歴情報、ページ閲覧情報、および購買情報の少なくとも一つを含む
請求項５記載の広告配信装置。
【請求項７】
前記ユーザを識別するためのユーザ識別情報と、前記ユーザ属性とが関連付けられたユーザ属性を記憶する第１記憶部を更に備え、
前記受信部は、前記ユーザ識別情報を前記端末装置から受信し、
前記ユーザ属性取得部は、前記受信部によって受信された前記ユーザ識別情報に関連付けられた前記ユーザ属性を、前記第１記憶部から取得する
請求項５または６記載の広告配信装置。
【請求項８】
商品の広告に関する複数の項目が互いに関連付けられた複数の広告情報を記憶する第２記憶部を更に備え、
前記広告情報取得部は、前記ユーザ属性取得部によって取得された前記ユーザ属性に基づいて、前記第２記憶部に記憶された前記複数の広告情報の中から前記ユーザに適した前記第１広告情報を取得する
請求項５から７の何れか一項に記載の広告配信装置。
【請求項９】
前記複数の項目は、店舗名、商品名、商品の画像、定価、販売価格、割引情報、製造業者名、重量、サイズ、特典内容、および保証期間の少なくとも一つを含む
請求項８記載の広告配信装置。
【請求項１０】
前記広告情報取得部は、前記ユーザ属性に加えて、現在の日時および天気に基づいて、前記第２記憶部に記憶された前記複数の広告情報の中から前記ユーザに適した前記第１広告情報を取得する
請求項８または９記載の広告配信装置。
【請求項１１】
前記ユーザを識別するためのユーザ識別情報と、前記ユーザによって指定された項目とが関連付けられた設定情報を記憶する第３記憶部を更に備え、
前記受信部は、前記ユーザ識別情報を前記端末装置から受信し、
前記部分広告情報取得部は、前記受信部によって受信された前記ユーザ識別情報に関連付けられた前記項目を前記第３記憶部に記憶された前記設定情報から取得し、取得した前記項目に対応する部分広告情報を、前記第１広告情報から取得する
請求項１記載の広告配信装置。
【請求項１２】
前記広告情報生成部は、前記ユーザによって予め設定された広告のレイアウトに従って前記部分広告情報を配置することで、前記第２広告情報を生成する
請求項１記載の広告配信装置。
【請求項１３】
前記ユーザを識別するためのユーザ識別情報と、前記レイアウトを識別するためのレイアウト識別情報とが関連付けられたレイアウト情報を記憶する第４記憶部を更に備え、
前記受信部は、前記ユーザ識別情報を前記端末装置から受信し、
前記広告情報生成部は、前記受信部によって受信された前記ユーザ識別情報に関連付けられた前記レイアウト識別情報を前記第４記憶部から取得し、取得した前記レイアウト識別情報に対応するレイアウトに従って前記部分広告情報を配置することで、前記第２広告情報を生成する
請求項１２記載の広告配信装置。
【請求項１４】
前記広告情報生成部は、複数の第２広告情報を生成し、前記ユーザが閲覧した広告のジャンル毎の頻度に応じて前記複数の第２広告情報を並べ替える
請求項１から１３の何れか一項に記載の広告配信装置。
【請求項１５】
ユーザが使用する端末装置の位置を示す位置情報を受信する受信工程と、
前記受信工程において受信された前記位置情報に基づいて、前記端末装置から所定距離内に位置する店舗の商品についての広告を示す第１広告情報を取得する広告情報取得工程と、
前記広告情報取得工程において取得された前記第１広告情報から、前記ユーザによって指定された項目に対応する部分広告情報を取得する部分広告情報取得工程と、
前記部分広告情報取得工程において取得された前記部分広告情報を合成して、第２広告情報を生成する広告情報生成工程と、
前記広告情報生成工程において生成された前記第２広告情報を、前記端末装置に送信する送信工程と、を備え、
前記広告情報生成工程において、前記店舗とは異なる他の店舗の前記商品と同じ商品についての広告を示す第３広告情報を生成するとともに、前記第２広告情報と前記第３広告情報とを合成することにより広告比較情報を生成し、
前記送信工程において、前記広告情報生成工程で生成された前記広告比較情報を、前記端末装置に送信する
広告配信方法。
【請求項１６】
コンピュータを、
ユーザが使用する端末装置の位置を示す位置情報を受信する受信部、
前記受信部によって受信された前記位置情報に基づいて、前記端末装置から所定距離内に位置する店舗の商品についての広告を示す第１広告情報を取得する広告情報取得部、
前記広告情報取得部によって取得された前記第１広告情報から、前記ユーザによって指定された項目に対応する部分広告情報を取得する部分広告情報取得部、
前記部分広告情報取得部によって取得された前記部分広告情報を合成して、第２広告情報を生成する広告情報生成部、
前記広告情報生成部によって生成された前記第２広告情報を、前記端末装置に送信する送信部、として機能させ、
前記広告情報生成部は、前記店舗とは異なる他の店舗の前記商品と同じ商品についての広告を示す第３広告情報を生成するとともに、前記第２広告情報と前記第３広告情報とを合成することにより広告比較情報を生成し、
前記送信部は、前記広告情報生成部によって生成された前記広告比較情報を、前記端末装置に送信する
広告配信プログラム。
【請求項１７】
ユーザが使用する端末装置であって、
前記端末装置の位置を示す位置情報を取得する測位部と、
前記測位部によって取得された前記位置情報に基づいて、前記端末装置から所定距離内に位置する店舗の商品についての広告を示す第１広告情報を取得する広告情報取得部と、
前記広告情報取得部によって取得された前記第１広告情報から、前記ユーザによって指定された項目に対応する部分広告情報を取得する部分広告情報取得部と、
前記部分広告情報取得部によって取得された前記部分広告情報を合成して、第２広告情報を生成する広告情報生成部と、
前記広告情報生成部によって生成された前記第２広告情報を表示する表示部と、を備え、
前記広告情報生成部は、前記店舗とは異なる他の店舗の前記商品と同じ商品についての広告を示す第３広告情報を生成するとともに、前記第２広告情報と前記第３広告情報とを合成することにより広告比較情報を生成し、
前記表示部は、前記広告情報生成部によって生成された前記広告比較情報を表示する
端末装置。
【請求項１８】
ユーザが使用する端末装置の位置を示す位置情報を取得する測位工程と、
前記測位工程において取得された前記位置情報に基づいて、前記端末装置から所定距離内に位置する店舗の商品についての広告を示す第１広告情報を取得する広告情報取得工程と、
前記広告情報取得工程において取得された前記第１広告情報から、前記ユーザによって指定された項目に対応する部分広告情報を取得する部分広告情報取得工程と、
前記部分広告情報取得工程において取得された前記部分広告情報を合成して、第２広告情報を生成する広告情報生成工程と、
前記広告情報生成工程において生成された前記第２広告情報を表示する表示工程と、を備え、
前記広告情報生成工程において、前記店舗とは異なる他の店舗の前記商品と同じ商品についての広告を示す第３広告情報を生成するとともに、前記第２広告情報と前記第３広告情報とを合成することにより広告比較情報を生成し、
前記表示工程において、前記広告情報生成工程で生成された前記広告比較情報を表示する
広告表示方法。
【請求項１９】
コンピュータを、
ユーザが使用する端末装置の位置を示す位置情報を取得する測位部、
前記測位部によって取得された前記位置情報に基づいて、前記端末装置から所定距離内に位置する店舗の商品についての広告を示す第１広告情報を取得する広告情報取得部、
前記広告情報取得部によって取得された前記第１広告情報から、前記ユーザによって指定された項目に対応する部分広告情報を取得する部分広告情報取得部、
前記部分広告情報取得部によって取得された前記部分広告情報を合成して、第２広告情報を生成する広告情報生成部、
前記広告情報生成部によって生成された前記第２広告情報を表示する表示部、として機能させ、
前記広告情報生成部は、前記店舗とは異なる他の店舗の前記商品と同じ商品についての広告を示す第３広告情報を生成するとともに、前記第２広告情報と前記第３広告情報とを合成することにより広告比較情報を生成し、
前記表示部は、前記広告情報生成部によって生成された前記広告比較情報を表示する
広告表示プログラム。
【発明の詳細な説明】
【技術分野】
【０００１】
本発明は、広告配信装置、広告配信方法、広告配信プログラム、端末装置、広告表示方法、および広告表示プログラムに関する。
【背景技術】
【０００２】
従来、ユーザが所有する端末装置に広告を配信する広告配信装置が知られている。広告配信装置から配信された広告を端末装置が表示することで、ユーザは広告の内容を確認することができる。
【０００３】
ユーザに対する広告効果を向上させるためには、広告配信装置は、ユーザの興味や関心に合わせた広告を配信する必要がある。そこで、ユーザが過去に閲覧したページの履歴を参照することにより、ユーザの興味や関心とマッチする広告を端末装置に配信する広告配信装置が提案されている（特許文献１参照）。
【先行技術文献】
【特許文献】
【０００４】
【特許文献１】特開２０１０−５５５９７号公報
【発明の概要】
【発明が解決しようとする課題】
【０００５】
しかしながら、特許文献１記載の広告配信装置は、ユーザの近くに位置する店舗の広告を、ユーザの好みの形式で配信することができなかった。このため、ユーザに対する広告効果をより向上させることができない場合があった。
【０００６】
本発明は、このような事情を考慮してなされたものであり、ユーザに対する広告効果をより向上させることができる広告配信装置、広告配信方法、広告配信プログラム、端末装置、広告表示方法、および広告表示プログラムを提供することを目的の一つとする。
【課題を解決するための手段】
【０００７】
本発明の一態様は、ユーザが使用する端末装置の位置を示す位置情報を受信する受信部と、前記受信部によって受信された前記位置情報に基づいて、前記端末装置から所定距離内に位置する店舗の商品についての広告を示す第１広告情報を取得する広告情報取得部と、前記広告情報取得部によって取得された前記第１広告情報から、前記ユーザによって指定された項目に対応する部分広告情報を取得する部分広告情報取得部と、前記部分広告情報取得部によって取得された前記部分広告情報を合成して、第２広告情報を生成する広告情報生成部と、前記広告情報生成部によって生成された前記第２広告情報を、前記端末装置に送信する送信部と、を備え、前記広告情報生成部は、前記店舗とは異なる他の店舗の前記商品と同じ商品についての広告を示す第３広告情報を生成するとともに、前記第２広告情報と前記第３広告情報とを合成することにより広告比較情報を生成し、前記送信部は、前記広告情報生成部によって生成された前記広告比較情報を、前記端末装置に送信する広告配信装置である。
【発明の効果】
【０００８】
本発明の一態様によれば、ユーザは、目的の商品について、ユーザの条件に最も合う商品を販売している店舗を容易に見つけ出すことができる。
【図面の簡単な説明】
【０００９】
【図１】第１実施形態に係る広告配信システムの全体構成を示す図である。
【図２】第１実施形態に係る広告配信装置１００によって行われる広告配信処理の詳細を示すブロック図である。
【図３】第１実施形態に係るユーザ属性テーブル１４２の一例を示す図である。
【図４】第１実施形態に係る広告情報１４７の一例を示す図である。
【図５】第１実施形態に係る広告登録ウィンドウＷの一例を示す図である。
【図６】第１実施形態に係る設定情報１５２の一例を示す図である。
【図７】第１実施形態に係るレイアウト情報１５７の一例を示す図である。
【図８】第１実施形態に係る端末装置２００の表示部２２０に表示された第２広告情報の一例を示す図である。
【図９】第１実施形態に係る端末装置２００の表示部２２０に表示された第２広告情報の他の例を示す図である。
【図１０】第１実施形態に係るレイアウト変更後の第２広告情報の一例を示す図である。
【図１１】第１実施形態に係る広告配信装置１００によって実行される処理のフローチャートである。
【図１２】第１実施形態に係る広告情報１４７の他の例を示す図である。
【図１３】第２実施形態に係る端末装置２００の表示部２２０に表示された第２広告情報の一例を示す図である。
【図１４】第２実施形態に係る端末装置２００の表示部２２０に表示された広告比較情報の一例を示す図である。
【図１５】第２実施形態に係る広告配信装置１００によって実行される処理のフローチャートである。
【図１６】第３実施形態に係る広告配信システムの全体構成を示す図である。
【図１７】第３実施形態に係る端末装置２００によって行われる広告表示処理の詳細を示すブロック図である。
【図１８】広告配信装置１００、端末装置２００、および広告管理装置３００のハードウェア構成の一例を示す図である。
【発明を実施するための形態】
【００１０】
以下、図面を参照して、広告配信装置、広告配信方法、広告配信プログラム、端末装置、広告表示方法、および広告表示プログラムの実施形態について説明する。広告配信装置は、ユーザが使用する端末装置に、ユーザの近くの店舗の広告情報を、ユーザが指定した形式で配信する。これによって、広告配信装置は、ユーザに対する広告効果をより向上させることができる。
【００１１】
＜１．第１実施形態＞
＜１−１．システム構成＞
図１は、第１実施形態に係る広告配信システムの全体構成を示す図である。広告配信システムは、広告配信装置１００と、端末装置２００とを備える。広告配信装置１００および端末装置２００は、ネットワークＮＷを介して通信する。ネットワークＮＷは、例えば、ＷＡＮ（Wide Area Network）やＬＡＮ（Local Area Network）、インターネット、プロバイダ装置、無線基地局、専用回線などのうち一部または全部を含む。
【００１２】
広告配信装置１００は、ユーザが所有する端末装置２００に広告情報を配信する装置である。端末装置２００は、アドタグまたは広告ＳＤＫ（Software Development Kit）を含む画像をウェブサーバまたはアプリサーバから受信し、受信したアドタグまたは広告ＳＤＫに基づいて広告配信装置１００に広告配信リクエストを送信する。なお、ウェブサーバまたはアプリサーバが広告配信装置１００に広告配信リクエストを送信し、広告情報が埋め込まれた画像を端末装置２００に送信してもよい。広告配信装置１００は、ユーザ属性取得部１１０と、広告情報取得部１１５と、部分広告情報取得部１２０と、広告情報生成部１２５と、受信部１３０と、送信部１３５と、第１記憶部１４０と、第２記憶部１４５と、第３記憶部１５０と、第４記憶部１５５とを備える。
【００１３】
ユーザ属性取得部１１０、広告情報取得部１１５、部分広告情報取得部１２０、および広告情報生成部１２５は、ＣＰＵ（Central Processing Unit）等のプロセッサが、プログラムメモリに記憶されたプログラムを実行することで実現される。なお、これらの機能部は、プロセッサがプログラムを実行するのと同様の機能を有するＬＳＩ（Large Scale Integration）、ＡＳＩＣ（Application Specific Integrated Circuit）、およびＦＰＧＡ（Field-Programmable Gate Array）等のハードウェアにより実現されてもよいし、ソフトウェアとハードウェアが協働することで実現されてもよい。
【００１４】
受信部１３０および送信部１３５は、例えばＮＩＣ（Network Interface Card）によって実現される。第１記憶部１４０、第２記憶部１４５、第３記憶部１５０、および第４記憶部１５５は、例えば、ＲＡＭ（Random Access Memory）、ＲＯＭ（Read Only Memory）、ＨＤＤ（Hard Disk Drive）、フラッシュメモリ、またはこれらのうち複数が組み合わされたハイブリッド型記憶装置などにより実現される。また、第１記憶部１４０、第２記憶部１４５、第３記憶部１５０、および第４記憶部１５５の一部または全部は、ＮＡＳ（Network Attached Storage）や外部のストレージサーバなど、広告配信装置１００がアクセス可能な外部装置であってもよい。
【００１５】
端末装置２００は、ユーザによって使用され、スマートフォンなどの携帯電話やタブレット端末であるが、これに限られない。例えば、端末装置２００は、ノート型のコンピュータまたはＰＤＡ（Personal Digital Assistant）であってもよい。端末装置２００は、制御部２１０と、測位部２１５と、表示部２２０と、通信部２２５とを備える。
【００１６】
制御部２１０は、ＣＰＵ等のプロセッサが、プログラムメモリに記憶されたプログラムを実行することで実現される。なお、制御部２１０は、プロセッサがプログラムを実行するのと同様の機能を有するＬＳＩ、ＡＳＩＣ、およびＦＰＧＡ等のハードウェアにより実現されてもよいし、ソフトウェアとハードウェアが協働することで実現されてもよい。
【００１７】
測位部２１５は、例えばＧＰＳ（Global Positioning System）受信機である。測位部２１５は、衛星から受信した電波に基づく測位を行って、ユーザが所有する端末装置２００の位置（すなわちユーザの位置）を特定する。また、端末装置２００は、通信部２２５が通信可能な無線基地局の位置から端末装置２００の位置を推定してもよい。
【００１８】
表示部２２０は、液晶表示装置などの表示装置である。通信部２２５は、ネットワークＮＷに接続された無線基地局と無線通信を行う無線通信モジュールである。端末装置２００は、通信部２２５を用いて、ユーザを識別するためのユーザ識別情報であるユーザＩＤを広告配信装置１００に送信する。また、端末装置２００は、定期的に（例えば数［ｓｅｃ］おきに）、測位部２１５によって特定された端末装置２００の位置情報を広告配信装置１００に送信する。
【００１９】
＜１−２．広告配信装置の処理＞
図２は、第１実施形態に係る広告配信装置１００によって行われる広告配信処理の詳細を示すブロック図である。まず、受信部１３０は、ネットワークＮＷを介して端末装置２００からユーザＩＤを受信すると、受信したユーザＩＤをユーザ属性取得部１１０および部分広告情報取得部１２０に出力する。また、受信部１３０は、ネットワークＮＷを介して端末装置２００から位置情報を受信すると、受信した位置情報を広告情報取得部１１５に出力する。
【００２０】
ユーザ属性取得部１１０は、第１記憶部１４０に記憶されたユーザ属性テーブル１４２を参照して、受信部１３０によって受信されたユーザＩＤに関連付けられたユーザ属性を、第１記憶部１４０から取得する。
【００２１】
図３は、第１実施形態に係るユーザ属性テーブル１４２の一例を示す図である。ユーザ属性テーブル１４２は、ユーザＩＤと、ユーザ属性（性別情報、年齢情報、および興味カテゴリ情報）とが関連付けられたテーブルである。性別情報は、ユーザの性別を示す情報である。年齢情報は、ユーザの年齢を示す情報である。興味カテゴリ情報は、ユーザの興味のあるカテゴリに関する情報である。
【００２２】
なお、ユーザ属性には、性別情報、年齢情報、および興味カテゴリ情報の全てが含まれることとしたが、これらのうちのいずれか一つが含まれていればよい。また、ユーザ属性には、ユーザがウェブを検索した履歴を示す検索履歴情報、ユーザが閲覧したページを示すページ閲覧情報、およびユーザが購入した商品に関する情報を示す購買情報等の少なくとも一つが含まれてもよい。
【００２３】
図３に示される例において、ユーザＩＤ「０００１」がユーザ属性（男、４０歳、カメラ）に関連付けられ、ユーザＩＤ「０００２」がユーザ属性（女、３０歳、ファッション）に関連付けられ、ユーザＩＤ「０００３」がユーザ属性（男、２０歳、スポーツ）に関連付けられている。ユーザ属性は、予めユーザによって登録された情報であってもよいし、広告配信装置１００によって自動的に収集された情報であってもよい。
【００２４】
ユーザ属性取得部１１０は、受信部１３０によって受信されたユーザＩＤに関連付けられたユーザ属性を、第１記憶部１４０から取得する。ユーザ属性取得部１１０は、取得したユーザ属性を広告情報取得部１１５に出力する。
【００２５】
第２記憶部１４５は、商品の広告に関する複数の項目が互いに関連付けられた複数の広告情報１４７を記憶している。広告情報取得部１１５は、受信部１３０によって受信された位置情報に基づいて、端末装置２００から所定距離内に位置する店舗の商品についての広告を示す第１広告情報を、第２記憶部１４５に記憶された広告情報１４７から取得する。
【００２６】
図４は、第１実施形態に係る広告情報１４７の一例を示す図である。広告情報１４７は、店舗名と、店舗の位置と、商品名と、商品の画像と、定価と、販売価格と、割引情報とが関連付けられたテーブルである。
【００２７】
図４に示される例において、店舗名「店舗Ａ」と、店舗の位置（ｘ１、ｙ１）と、商品名「商品Ａ」と、商品の画像「ｉｍａｇｅＡ．ｊｐｇ」と、定価「５０，０００円」と、販売価格「４０，０００円」と、割引情報「２０％オフ」とが関連付けられている。また、店舗名「店舗Ｂ」と、店舗の位置（ｘ２、ｙ２）と、商品名「商品Ｂ」と、商品の画像「ｉｍａｇｅＢ．ｊｐｇ」と、定価「１００，０００円」と、販売価格「７０，０００円」と、割引情報「３０％オフ」とが関連付けられている。また、店舗名「店舗Ｃ」と、店舗の位置（ｘ３、ｙ３）と、商品名「商品Ｃ」と、商品の画像「ｉｍａｇｅＣ．ｊｐｇ」と、定価「２０，０００円」と、販売価格「１８，０００円」と、割引情報「１０％オフ」とが関連付けられている。これらの情報は、広告登録ウィンドウＷを用いて登録される。
【００２８】
図５は、第１実施形態に係る広告登録ウィンドウＷの一例を示す図である。広告登録ウィンドウＷには、広告情報に含まれる各項目の情報が入力される入力領域が含まれる。また、広告登録ウィンドウＷには、検索キーＫ１と、参照キーＫ２と、登録キーＫ３とが含まれる。
【００２９】
店舗の従業員は、商品の広告情報を広告登録ウィンドウＷから入力する。例えば、従業員が店舗名「店舗Ａ」を入力して検索キーＫ１を選択（タップまたはクリック）すると、店舗Ａの位置情報が検索され、店舗Ａの位置座標（ｘ１、ｙ１）が自動的に入力される。また、従業員は、商品名「商品Ａ」を入力して参照キーＫ２を選択することにより、商品Ａの画像が格納されたアドレスを指定することができる。従業員がその他の項目（定価、販売価格、割引情報）を入力して登録キーＫ３を選択すると、入力された広告情報が第２記憶部１４５に格納される。
【００３０】
なお、広告登録ウィンドウＷに入力された各項目の情報に基づいて広告情報が生成されることとしたが、これに限られない。例えば、広告配信装置１００は、店舗の従業員から入力された電子チラシからテキストデータを抽出し、抽出したテキストデータに対して形態素解析を行うことにより、電子チラシに含まれる各項目（店舗名、商品名、販売価格等）の情報を自動的に抽出してもよい。
【００３１】
また、広告情報１４７は、店舗名、店舗の位置、商品名、商品の画像、定価、販売価格、および割引情報を含むこととしたが、これに限られない。例えば、広告情報１４７は、これらの項目に加えて、製造業者名、重量、サイズ、特典内容、および保証期間の少なくとも一つを含んでもよい。また、商品が食料品である場合には、広告情報１４７は、商品に含まれるアレルギー物質を示す情報を含んでもよい。
【００３２】
前述したように、広告情報取得部１１５は、受信部１３０によって受信された位置情報に基づいて、端末装置２００から所定距離内に位置する店舗の商品についての広告を示す第１広告情報を、第２記憶部１４５から取得する。例えば、広告情報取得部１１５は、受信部１３０によって受信された位置情報と、広告情報１４７に含まれる店舗の位置（図４参照）とを比較して、端末装置２００から所定距離内に位置する店舗か否かを判定する。
【００３３】
なお、広告情報取得部１１５は、ユーザ属性取得部１１０によって取得されたユーザ属性に基づいて、第２記憶部１４５に記憶された複数の広告情報１４７の中からユーザに適した第１広告情報を取得してもよい。例えば、ユーザ属性に含まれる興味カテゴリが「カメラ」である場合、カメラに関する広告情報を、第１広告情報として取得してもよい。これによって、広告配信装置１００は、ユーザの興味のある商品の広告を配信することができ、ユーザに対する広告効果をより向上させることができる。
【００３４】
また、広告情報取得部１１５は、ユーザ属性に加えて、現在の日時および天気に基づいて、第２記憶部１４５に記憶された複数の広告情報１４７の中からユーザに適した第１広告情報を取得してもよい。例えば、現在時刻が朝である場合、広告情報取得部１１５は、レストランの朝食の広告を第１広告情報として取得してもよい。また、現在時刻が夜である場合、広告情報取得部１１５は、レストランの夕食の広告を第１広告情報として取得してもよい。更に、広告情報取得部１１５は、雨の日には傘やレインコートの広告を第１広告情報として取得してもよい。これによって、広告配信装置１００は、ユーザに対する広告効果をより向上させることができる。
【００３５】
広告情報取得部１１５は、第２記憶部１４５から取得した第１広告情報を、部分広告情報取得部１２０に出力する。部分広告情報取得部１２０は、広告情報取得部１１５によって取得された第１広告情報から、ユーザによって指定された項目に対応する部分広告情報を取得する。ここで、ユーザによって指定された項目は、設定情報１５２として第３記憶部１５０に記憶されている。
【００３６】
図６は、第１実施形態に係る設定情報１５２の一例を示す図である。設定情報１５２は、ユーザＩＤと、ユーザによって指定された項目（項目１から５）とが関連付けられたテーブルである。項目１から５は、予めユーザによって指定された、ユーザが配信を希望する広告の項目を示す。
【００３７】
図６に示される例において、ユーザＩＤ「０００１」と、項目１「店舗名」と、項目２「商品名」と、項目３「画像」と、項目４「販売価格」と、項目５「割引情報」とが関連付けられている。また、ユーザＩＤ「０００２」と、項目１「店舗名」と、項目２「商品名」と、項目３「販売価格」とが関連付けられている。さらに、ユーザＩＤ「０００３」と、項目１「店舗名」と、項目２「画像」と、項目３「定価」と、項目４「販売価格」とが関連付けられている。
【００３８】
このため、受信部１３０によって受信されたユーザＩＤが「０００１」の場合、部分広告情報取得部１２０は、広告情報取得部１１５によって取得された第１広告情報から、「店舗名」、「商品名」、「画像」、「販売価格」、および「割引情報」を部分広告情報として取得する。また、受信部１３０によって受信されたユーザＩＤが「０００２」の場合、部分広告情報取得部１２０は、広告情報取得部１１５によって取得された第１広告情報から、「店舗名」、「商品名」、および「販売価格」を部分広告情報として取得する。また、受信部１３０によって受信されたユーザＩＤが「０００３」の場合、部分広告情報取得部１２０は、広告情報取得部１１５によって取得された第１広告情報から、「店舗名」、「画像」、「定価」、および「販売価格」を部分広告情報として取得する。
【００３９】
このように、部分広告情報取得部１２０は、受信部１３０によって受信されたユーザＩＤに関連付けられた項目を、第３記憶部１５０に記憶された設定情報１５２から取得する。また、部分広告情報取得部１２０は、取得した項目に対応する部分広告情報を、第１広告情報から取得する。その後、部分広告情報取得部１２０は、取得した部分広告情報を広告情報生成部１２５に出力する。
【００４０】
広告情報生成部１２５は、部分広告情報取得部１２０によって取得された部分広告情報を合成して、第２広告情報を生成する。例えば、広告情報生成部１２５は、ユーザによって予め設定された広告のレイアウトに従って部分広告情報を配置することで、第２広告情報を生成する。具体的に、広告情報生成部１２５は、第４記憶部１５５に記憶されたレイアウト情報１５７に基づいて、部分広告情報を配置する。
【００４１】
図７は、第１実施形態に係るレイアウト情報１５７の一例を示す図である。レイアウト情報１５７は、ユーザＩＤとレイアウトＩＤとが関連付けられたテーブルである。レイアウトＩＤは、広告のレイアウトを識別するための識別情報である。
【００４２】
図７に示される例において、ユーザＩＤ「０００１」とレイアウトＩＤ「Ｌ１」とが関連付けられ、ユーザＩＤ「０００２」とレイアウトＩＤ「Ｌ２」とが関連付けられ、ユーザＩＤ「０００３」とレイアウトＩＤ「Ｌ３」とが関連付けられている。このように、第４記憶部１５５は、ユーザＩＤと、ユーザによって予め設定された広告のレイアウトを識別するためのレイアウトＩＤとが関連付けられたレイアウト情報１５７を記憶している。
【００４３】
広告情報生成部１２５は、受信部１３０によって受信されたユーザＩＤに関連付けられたレイアウトＩＤを第４記憶部１５５から取得する。また、広告情報生成部１２５は、取得したレイアウトＩＤに対応するレイアウトに従って部分広告情報を配置することで、第２広告情報を生成する。
【００４４】
広告情報生成部１２５は、生成した第２広告情報を送信部１３５に出力する。送信部１３５は、広告情報生成部１２５によって生成された第２広告情報を、端末装置２００に送信する。端末装置２００の通信部２２５は、広告配信装置１００から受信した第２広告情報を制御部２１０に出力する。制御部２１０は、通信部２２５から入力された第２広告情報を表示部２２０に表示する。
【００４５】
＜１−３．第２広告情報の表示例＞
図８は、第１実施形態に係る端末装置２００の表示部２２０に表示された第２広告情報の一例を示す図である。図８に示される例においては、ユーザＩＤが「０００１」のユーザが所有する端末装置２００の表示部２２０に表示された第２広告情報が示されている。
【００４６】
前述した図６に示されるように、ユーザＩＤ「０００１」には、項目１「店舗名」と、項目２「商品名」と、項目３「画像」と、項目４「販売価格」と、項目５「割引情報」とが関連付けられている。このため、図８に示されるように、商品の画像Ａ１と、商品名Ａ２と、販売価格Ａ３と、割引情報Ａ４と、店舗名Ａ５とを含む第２広告情報が、表示部２２０に表示されている。
【００４７】
前述した図７に示されるように、ユーザＩＤ「０００１」には、レイアウトＩＤ「Ｌ１」が関連付けられている。このため、広告情報生成部１２５は、レイアウトＩＤ「Ｌ１」に対応するレイアウト（図８参照）に従って部分広告情報を配置することで、第２広告情報を生成する。
【００４８】
図９は、第１実施形態に係る端末装置２００の表示部２２０に表示された第２広告情報の他の例を示す図である。図９に示される例においては、ユーザＩＤが「０００２」のユーザが所有する端末装置２００の表示部２２０に表示された第２広告情報が示されている。
【００４９】
前述した図６に示されるように、ユーザＩＤ「０００２」には、項目１「店舗名」と、項目２「商品名」と、項目３「販売価格」とが関連付けられている。このため、図９に示されるように、商品名Ａ２と、販売価格Ａ３と、店舗名Ａ５とを含む第２広告情報が、表示部２２０に表示されている。
【００５０】
前述した図７に示されるように、ユーザＩＤ「０００２」には、レイアウトＩＤ「Ｌ２」が関連付けられている。このため、広告情報生成部１２５は、レイアウトＩＤ「Ｌ２」に対応するレイアウト（図９参照）に従って部分広告情報を配置することで、第２広告情報を生成する。
【００５１】
このように、広告情報生成部１２５は、ユーザによって予め設定された広告のレイアウトに従って部分広告情報を配置することで、第２広告情報を生成する。これによって、ユーザの好みに応じたレイアウトで第２広告情報を表示することができ、ユーザに対する広告効果を向上させることができる。
【００５２】
図１０は、第１実施形態に係るレイアウト変更後の第２広告情報の一例を示す図である。例えば、ユーザＩＤが「０００１」のユーザのレイアウトＩＤを「Ｌ１」から「Ｌ３」に変更すると、図８に示されるレイアウトから図１０に示されるレイアウトに切り替わる。これによって、第２広告情報をユーザの好みのレイアウトに変更することができ、ユーザに対する広告効果をより向上させることができる。
【００５３】
＜１−４．広告配信装置によって実行される処理のフローチャート＞
図１１は、第１実施形態に係る広告配信装置１００によって実行される処理のフローチャートである。まず、広告配信装置１００の受信部１３０は、ユーザＩＤおよび位置情報を、ネットワークＮＷを介して端末装置２００から受信する（Ｓ１０）。ユーザ属性取得部１１０は、受信部１３０によって受信されたユーザＩＤに基づいて、第１記憶部１４０からユーザ属性を取得する。
【００５４】
広告情報取得部１１５は、受信部１３０によって受信された位置情報に基づいて、端末装置２００から所定距離内に位置する店舗の商品についての広告を示す第１広告情報を取得する（Ｓ１１）。ここで、広告情報取得部１１５は、ユーザ属性取得部１１０によって取得されたユーザ属性に基づいて、第２記憶部１４５に記憶された複数の広告情報の中からユーザに適した第１広告情報を取得してもよい。
【００５５】
部分広告情報取得部１２０は、広告情報取得部１１５によって取得された第１広告情報から、ユーザによって指定された項目に対応する部分広告情報を取得する（Ｓ１２）。例えば、部分広告情報取得部１２０は、受信部１３０によって受信されたユーザＩＤに関連付けられた項目を第３記憶部１５０に記憶された設定情報１５２から取得し、取得した項目に対応する部分広告情報を、第１広告情報から取得する。
【００５６】
広告情報生成部１２５は、部分広告情報取得部１２０によって取得された部分広告情報を合成して、第２広告情報を生成する（Ｓ１３）。例えば、広告情報生成部１２５は、ユーザによって予め設定された広告のレイアウトに従って部分広告情報を配置することで、第２広告情報を生成する。
【００５７】
送信部１３５は、広告情報生成部１２５によって生成された第２広告情報を、端末装置２００に送信し（Ｓ１４）、本フローチャートによる処理を終了する。以上の処理によって、広告配信装置１００は、ユーザに対する広告効果をより向上させることができる。
【００５８】
＜１−５．部分広告情報の補完処理＞
図１２は、第１実施形態に係る広告情報１４７の他の例を示す図である。図１２に示されるように、広告情報１４７において、商品Ａについての画像情報が存在せず、商品Ｂについての定価情報が存在せず、商品Ｃについての販売価格情報が存在しない。このように、広告情報１４７においていずれかの部分広告情報が存在しない場合、情報の欠落のためにユーザに対する広告効果が低下してしまう。このため、部分広告情報取得部１２０は、存在しない部分広告情報を補完する必要がある。
【００５９】
そこで、部分広告情報取得部１２０は、第１広告情報から部分広告情報を取得できなかった場合、取得できなかった部分広告情報を、ネットワークＮＷ上の装置から取得する。例えば、部分広告情報取得部１２０は、第１広告情報から取得できなかった部分広告情報を、商品の製造業者の提供するサービス（例えば、製造業者のサイト）からネットワークＮＷを介して取得する。また、部分広告情報取得部１２０は、第１広告情報から取得できなかった部分広告情報を、店舗ごとの商品の価格を比較するための情報を提供する価格比較サービス（例えば、価格比較サイト）からネットワークＮＷを介して取得してもよい。
【００６０】
図１２に示される例の場合、部分広告情報取得部１２０は、商品Ａについての画像情報を、商品の製造業者のサイトにアクセスして取得する。また、部分広告情報取得部１２０は、商品Ｂについての定価情報を、商品の製造業者のサイトにアクセスして取得する。さらに、部分広告情報取得部１２０は、商品Ｃについての販売価格情報を価格比較サイトにアクセスして取得する。
【００６１】
このように、広告情報１４７においていずれかの部分広告情報が存在しない場合であっても、部分広告情報取得部１２０は、存在しない部分広告情報を補完することができる。これによって、広告配信装置１００は、ユーザに対する広告効果をより向上させることができる。
【００６２】
なお、広告情報生成部１２５は、複数の第２広告情報を生成し、ユーザが閲覧した広告のジャンル毎の頻度に応じて複数の第２広告情報を並べ替えてもよい。例えば、広告情報生成部１２５は、ユーザが閲覧した頻度が高いジャンルの広告ほど、上に表示されるように複数の第２広告情報を並べ替えてもよい。これによって、ユーザの興味のあるジャンルの広告がユーザの目に留まりやすくなるため、広告配信装置１００は、ユーザに対する広告効果をより向上させることができる。
【００６３】
以上説明したように、受信部１３０は、ユーザが所有する端末装置２００の位置を示す位置情報を受信する。広告情報取得部１１５は、受信部１３０によって受信された位置情報に基づいて、端末装置２００から所定距離内に位置する店舗の商品についての広告を示す第１広告情報を取得する。部分広告情報取得部１２０は、広告情報取得部１１５によって取得された第１広告情報から、ユーザによって指定された項目に対応する部分広告情報を取得する。広告情報生成部１２５は、部分広告情報取得部１２０によって取得された部分広告情報を合成して、第２広告情報を生成する。送信部１３５は、広告情報生成部１２５によって生成された第２広告情報を、端末装置２００に送信する。これによって、広告配信装置１００は、ユーザに対する広告効果をより向上させることができる。
【００６４】
＜２．第２実施形態＞
第１実施形態において、広告配信装置１００は、部分広告情報を合成して第２広告情報を生成し、生成した第２広告情報を端末装置２００に配信することとした。これに対し、第２実施形態において、広告配信装置１００は、他の店舗の広告と比較するための広告比較情報を生成し、生成した広告比較情報を端末装置２００に送信することとする。以下、第２実施形態について詳細に説明する。
【００６５】
＜２−１．第２広告情報および広告比較情報の表示例＞
図１３は、第２実施形態に係る端末装置２００の表示部２２０に表示された第２広告情報の一例を示す図である。図１３において、図８の各部に対応する部分には同一の符号を付し、説明を省略する。
【００６６】
図１３に示されるように、端末装置２００の表示部２２０には比較キーＡ６が表示されている。例えば、ユーザがデジタルカメラＡの購入を検討している場合、カメラ店ＡにおけるデジタルカメラＡの販売価格である４０，０００円が妥当な価格か否かを判断したい場合がある。この場合、ユーザは比較キーＡ６を選択（タップまたはクリック）する。
【００６７】
比較キーＡ６が選択されると、端末装置２００の制御部２１０は、広告比較要求を通信部２２５に出力する。通信部２２５は、制御部２１０から入力された広告比較要求を、広告配信装置１００に送信する。
【００６８】
広告配信装置１００の受信部１３０が端末装置２００から広告比較要求を受信すると、広告情報生成部１２５は、カメラ店Ａとは異なる他の店舗のデジタルカメラＡについての広告を示す第３広告情報を生成する。また、広告情報生成部１２５は、第２広告情報と第３広告情報とを合成することにより広告比較情報を生成する。送信部１３５は、広告情報生成部１２５によって生成された広告比較情報を、端末装置２００に送信する。
【００６９】
端末装置２００の通信部２２５が広告配信装置１００から広告比較情報を受信すると、制御部２１０は、広告比較情報を表示部２２０に表示する。
【００７０】
図１４は、第２実施形態に係る端末装置２００の表示部２２０に表示された広告比較情報の一例を示す図である。図１４に示されるように、カメラ店ＡのデジタルカメラＡの広告とともに、カメラ店ＥのデジタルカメラＡの広告と、カメラ店ＦのデジタルカメラＡの広告とが表示部２２０に表示される。これによって、ユーザは、デジタルカメラＡについて複数の店舗の広告を比較することができ、ユーザにとっての利便性が向上する。
【００７１】
また、端末装置２００の表示部２２０には戻るキーＡ７が表示されている。ユーザが戻るキーＡ７を選択（タップまたはクリック）すると、制御部２１０は、前述の図１３に示される画面を表示部２２０に表示する。
【００７２】
＜２−２．広告配信装置によって実行される処理のフローチャート＞
図１５は、第２実施形態に係る広告配信装置１００によって実行される処理のフローチャートである。図１５におけるＳ２０からＳ２４の処理は、図１１におけるＳ１０からＳ１４の処理と同様であるため、説明を省略する。
【００７３】
Ｓ２４において送信部１３５が端末装置２００に第２広告情報を送信すると、広告配信装置１００は、端末装置２００から広告比較要求を受信したか否かを判定する（Ｓ２５）。広告配信装置１００は、端末装置２００から広告比較要求を受信していない場合、本フローチャートによる処理を終了する。
【００７４】
一方、端末装置２００から広告比較要求を受信した場合、広告情報生成部１２５は、広告比較情報を生成する（Ｓ２６）。広告情報生成部１２５は、生成した広告比較情報を送信部１３５に出力する。送信部１３５は、広告情報生成部１２５から入力された広告比較情報を端末装置２００に送信し、本フローチャートによる処理を終了する。
【００７５】
以上説明したように、本実施形態において、広告配信装置１００は広告比較情報を生成し、端末装置２００は広告配信装置１００によって生成された広告比較情報を表示する。これによって、ユーザは、特定の商品について複数の店舗の広告を比較することができ、ユーザにとっての利便性が向上する。
【００７６】
＜３．第３実施形態＞
第１実施形態および第２実施形態において、広告配信装置１００は、ユーザ属性取得部１１０と、広告情報取得部１１５と、部分広告情報取得部１２０と、広告情報生成部１２５とを備えることとした。これに対し、第３実施形態において、広告配信装置１００はこれらの機能部を備えないこととし、端末装置２００がこれらの機能部を備えることとする。以下、第３実施形態について詳細に説明する。
【００７７】
＜３−１．システム構成＞
図１６は、第３実施形態に係る広告配信システムの全体構成を示す図である。図１６において、図１の各部に対応する部分には同一の符号を付し、説明を省略する。広告配信システムは、端末装置２００と、広告管理装置３００と、を備える。端末装置２００および広告管理装置３００は、ネットワークＮＷを介して通信する。
【００７８】
端末装置２００は、制御部２１０と、測位部２１５と、表示部２２０と、通信部２２５と、ユーザ属性取得部２３０と、広告情報取得部２３５と、部分広告情報取得部２４０と、広告情報生成部２４５と、第１記憶部２５０と、第３記憶部２６０と、第４記憶部２６５とを備える。
【００７９】
広告管理装置３００は、広告情報を管理する装置である。広告管理装置３００は、第２記憶部３１０を備える。第２記憶部３１０は、商品の広告に関する複数の項目が互いに関連付けられた複数の広告情報１４７を記憶している。
【００８０】
＜３−２．端末装置の処理＞
図１７は、第３実施形態に係る端末装置２００によって行われる広告表示処理の詳細を示すブロック図である。ユーザ属性取得部２３０は、第１記憶部２５０に記憶されたユーザ属性テーブル１４２を参照して、ユーザ属性を第１記憶部２５０から取得する。ユーザ属性取得部２３０は、取得したユーザ属性を広告情報取得部２３５に出力する。また、測位部２１５は、端末装置２００の位置情報を広告情報取得部２３５に出力する。
【００８１】
広告情報取得部２３５は、ユーザ属性取得部２３０から入力されたユーザ属性と、測位部２１５から入力された位置情報とを、通信部２２５に出力する。通信部２２５は、広告情報取得部２３５から入力されたユーザ属性および位置情報を、広告管理装置３００に送信する。
【００８２】
広告管理装置３００は、端末装置２００から受信した位置情報に基づいて、端末装置２００から所定距離内に位置する店舗の商品についての広告を示す第１広告情報を、第２記憶部３１０から取得する。なお、広告管理装置３００は、端末装置２００から受信したユーザ属性に基づいて、ユーザに適した第１広告情報を第２記憶部３１０から取得してもよい。
【００８３】
広告管理装置３００は、第２記憶部３１０から取得した第１広告情報を、端末装置２００に送信する。端末装置２００の通信部２２５は、広告管理装置３００から第１広告情報を受信すると、受信した第１広告情報を広告情報取得部２３５に出力する。これによって、広告情報取得部２３５は、第１広告情報を取得することができる。
【００８４】
広告情報取得部２３５は、取得した第１広告情報を部分広告情報取得部２４０に出力する。部分広告情報取得部２４０は、広告情報取得部２３５によって取得された第１広告情報から、ユーザによって指定された項目に対応する部分広告情報を取得する。ここで、ユーザによって指定された項目は、設定情報１５２として第３記憶部２６０に記憶されている。部分広告情報取得部２４０は、取得した部分広告情報を広告情報生成部２４５に出力する。
【００８５】
広告情報生成部２４５は、部分広告情報取得部２４０によって取得された部分広告情報を合成して、第２広告情報を生成する。例えば、広告情報生成部２４５は、ユーザによって予め設定された広告のレイアウトに従って部分広告情報を配置することで、第２広告情報を生成する。具体的に、広告情報生成部２４５は、第４記憶部２６５に記憶されたレイアウト情報１５７に基づいて、部分広告情報を配置する。
【００８６】
広告情報生成部２４５は、生成した第２広告情報を表示部２２０に出力する。表示部２２０は、広告情報生成部２４５から入力された第２広告情報を表示する。これによって、端末装置２００は、ユーザに対する広告効果をより向上させることができる。
【００８７】
以上説明したように、測位部２１５は、端末装置２００の位置を示す位置情報を取得する。広告情報取得部２３５は、測位部２１５によって取得された位置情報に基づいて、端末装置２００から所定距離内に位置する店舗の商品についての広告を示す第１広告情報を取得する。部分広告情報取得部２４０は、広告情報取得部２３５によって取得された第１広告情報から、ユーザによって指定された項目に対応する部分広告情報を取得する。広告情報生成部２４５は、部分広告情報取得部２４０によって取得された部分広告情報を合成して、第２広告情報を生成する。表示部２２０は、広告情報生成部２４５によって生成された第２広告情報を表示する。これによって、端末装置２００は、ユーザに対する広告効果をより向上させることができる。
【００８８】
＜４．ハードウェア構成＞
図１８は、広告配信装置１００、端末装置２００、および広告管理装置３００のハードウェア構成の一例を示す図である。図１８は、端末装置２００がスマートフォンやタブレット端末などのスマートデバイスである例を示している。端末装置２００は、例えば、ＣＰＵ４０１、ＲＡＭ４０２、ＲＯＭ４０３、並びにフラッシュメモリなどの二次記憶装置４０４、タッチパネル４０５、および無線通信モジュール４０６が、内部バスあるいは専用通信線によって相互に接続された構成となっている。端末装置２００を動作させるためのプログラムは、二次記憶装置４０４に格納される。
【００８９】
広告配信装置１００および広告管理装置３００は、例えば、ＮＩＣ（Network Interface Card）５０１、ＣＰＵ５０２、ＲＡＭ５０３、ＲＯＭ５０４、フラッシュメモリやＨＤＤなどの二次記憶装置５０５、およびドライブ装置５０６が、内部バスあるいは専用通信線によって相互に接続された構成となっている。ドライブ装置５０６には、光ディスクなどの可搬型記憶媒体が装着される。二次記憶装置５０５、またはドライブ装置５０６に装着された可搬型記憶媒体に記憶されたプログラムがＤＭＡコントローラ（不図示）などによってＲＡＭ５０３に展開され、ＣＰＵ５０２によって実行されることで、各装置の機能部が実現される。
【００９０】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００９１】
１００…広告配信装置
１１０…ユーザ属性取得部
１１５…広告情報取得部
１２０…部分広告情報取得部
１２５…広告情報生成部
１３０…受信部
１３５…送信部
１４０…第１記憶部
１４５…第２記憶部
１５０…第３記憶部
１５５…第４記憶部
２００…端末装置
２１０…制御部
２１５…測位部
２２０…表示部
２２５…通信部
【図１】
2018081670.tif 000003
【図２】
2018081670.tif 000004
【図３】
2018081670.tif 000005
【図４】
2018081670.tif 000006
【図５】
2018081670.tif 000007
【図６】
2018081670.tif 000008
【図７】
2018081670.tif 000009
【図８】
2018081670.tif 000010
【図９】
2018081670.tif 000011
【図１０】
2018081670.tif 000012
【図１１】
2018081670.tif 000013
【図１２】
2018081670.tif 000014
【図１３】
2018081670.tif 000015
【図１４】
2018081670.tif 000016
【図１５】
2018081670.tif 000017
【図１６】
2018081670.tif 000018
【図１７】
2018081670.tif 000019
【図１８】
2018081670.tif 000020